(57)【要約】【課題】水耕栽培装置において特にベッド内の培養液による液幕を発生させて害虫の防御、植物の活性化等を図る。【解決手段】ベッド２０内の培養液にて植物を栽培する水耕栽培装置が、ベッド２０内の培養液を汲み上げるポンプ３０ａ、３０ｂと、ポンプ３０ａ、３０ｂで汲み上げた培養液を液幕（４１ａ等）にしてベッド２０内に落下させる液幕発生手段４０とを備えている。液幕発生手段４０は網状体（６０ａ等）と前記汲み上げた培養液を網状体（６０ａ等）の上端部（６１ａ等）に供給する培養液供給手段５０とを備えている。網状体（６０ａ等）の下端部がベッド２０内に垂れ下がっていて、網状体（６０ａ等）の上端部から落下する前記培養液が網状体（６０ａ等）を伝わる際に液幕（４１ａ等）となり、この液幕（４１ａ等）が網状体（６０ａ等）の下端部からベッド２０内に落下する。【選択図】図１
2009050199.tif 000002
【特許請求の範囲】
【請求項１】
ベッド内の培養液にて植物を栽培する水耕栽培装置であって、
前記ベッド内の培養液を汲み上げるポンプと、
前記ポンプで汲み上げた培養液を液幕にして前記ベッド内に落下させる液幕発生手段とを備えていることを特徴とする水耕栽培装置。
【請求項２】
請求項１記載の水耕栽培装置であって、
前記液幕発生手段は網状体と前記汲み上げた培養液を前記網状体の上端部に供給する培養液供給手段とを備え、
前記網状体の下端部が前記ベッド内に垂れ下がっていて、
前記網状体の上端部から落下する前記培養液が前記網状体を伝わる際に液幕となり、
この液幕が前記網状体の下端部から前記ベッド内に落下することを特徴とする水耕栽培装置。
【請求項３】
請求項２記載の水耕栽培装置であって、
前記液幕発生手段の培養液供給手段は、前記汲み上げた培養液を流す管であり、前記管は横方向に延びていて、前記管の下部に溝が形成され、前記網状体の上端部が前記管の下部に形成された溝に差し込まれるように配置されていることを特徴とする水耕栽培装置。
【発明の詳細な説明】
【技術分野】
【０００１】
本発明は、ベッド内の培養液により植物を栽培する水耕栽培装置に関し、特にベッド内の培養液による液幕を発生させる技術に関するものである。
【背景技術】
【０００２】
従来、水耕栽培装置は栽培する植物の培養液を溜める上面開口した槽状のベッドを使用し、このベッド内にて植物を栽培している。そして、植物の全部または一部分が培養液に浸されている。この場合、植物に供給する培養液を任意の濃度、量、時間に設定することができるので、植物栽培の管理が容易になる（例えば特許文献１参照）。
【特許文献１】特開２００７−８９４８９号公報
【発明の開示】
【発明が解決しようとする課題】
【０００３】
しかし、上述の従来例では、ベッド内の培養液で栽培される植物の害虫による被害を防ぐことが容易ではなかった。
そこで、本発明が解決しようとする課題は、ベッド内の培養液で栽培される植物の害虫による被害を防ぐことができるようにすることである。
【課題を解決するための手段】
【０００４】
上記課題を解決するため、請求項１記載の発明は、ベッド内の培養液にて植物を栽培する水耕栽培装置であって、前記ベッド内の培養液を汲み上げるポンプと、前記ポンプで汲み上げた前記培養液を液幕にして前記ベッド内に落下させる液幕発生手段とを備えていることを特徴とする水耕栽培装置である。
【０００５】
請求項１記載の発明により、液幕発生手段がベッド内に落下させる液幕で害虫が遮られるため、害虫がベッド内の植物に到達することが少なくなる。さらに、液幕によりマイナスイオン（陰イオン）が発生するので、マイナスイオンの発生により、植物の臭いが少なくなる。さらに、液幕自体が臭いの分子を捕捉して培養液中に引き込むので植物の臭いが少なくなる。このため、植物の臭いにより引き寄せられる害虫が少なくなる。
さらに、液幕が落下する途中で液幕中に空気が取り込まれるので、培養液中の溶存酸素濃度が高くなる。
さらに、ベッド内からポンプが汲み上げた培養液により液幕を形成し、この液幕がベッド内に落下するので、培養液を循環させることができる。
【０００６】
さらに、請求項２記載の発明は、請求項１記載の水耕栽培装置であって、前記液幕発生手段は網状体と前記汲み上げた培養液を前記網状体の上端部に供給する培養液供給手段とを備え、前記網状体の下端部が前記ベッド内に垂れ下がっていて、前記網状体の上端部から落下する前記培養液が前記網状体を伝わる際に液幕となり、この液幕が前記網状体の下端部から前記ベッド内に落下することを特徴とする水耕栽培装置である。
【０００７】
請求項２記載の発明により、前記汲み上げた培養液を培養液供給手段が網状体の上端部に供給し、供給された培養液が網状体の上端部から網状体を伝わって落下する際に液幕となって、網状体の下端部に伝わり、網状体の下端部からベッド内に落下するので、液幕供給手段を容易に構成することができる。
【０００８】
さらに、請求項３記載の発明は、請求項２記載の水耕栽培装置であって、前記液幕発生手段の培養液供給手段は、前記汲み上げた培養液を流す管であり、前記管は横方向に延びていて、前記管の下部に溝が形成され、前記網状体の上端部が前記管の下部に形成された溝に差し込まれるように配置されていることを特徴とする水耕栽培装置である。
【０００９】
請求項３記載の発明により、液幕発生手段の培養液供給手段は、横方向に延びて、前記汲み上げた培養液を流す管であり、前記管の下部に形成された溝に前記網状体の上端部が
差し込まれるように配置されているので、前記管内を流れる培養液が前記溝から前記網状体の上端部に流れ、さらに、液幕となって網状体の下端部まで流れ落ち、網状体の下端部からベッド内に落下する。
【発明の効果】
【００１０】
請求項１記載の発明によれば、水耕栽培装置で栽培される植物の害虫による被害を少なくすることができる。さらに、ベッド内の培養液を循環させ、培養液中の溶存酸素濃度が増加するので、植物が活性化する。
さらに、請求項２記載の発明によれば、請求項１記載の発明の効果とともに、液幕発生手段を備えた水耕栽培装置を容易に構成することができる。
さらに、請求項３記載の発明によれば、請求項２記載の発明の効果とともに、液幕発生手段の培養液供給手段を容易に構成することができる。
【発明を実施するための最良の形態】
【００１１】
以下、本発明における実施の形態を図面に基づいて説明する。
図１は本発明の実施の形態に係わる水耕栽培装置の正面を示し、図２は図１の水耕栽培装置の平面を示し、図３は図１の水耕栽培装置のＡ−Ａ断面を示す。さらに、図４は図１の網状体を拡大して示し、図５は図３の網状体の取り付け部分を拡大して示す。
【００１２】
図１に示すように、水耕栽培装置１０はベッド２０内の培養液２１（図３参照）にて植物８０（図３参照）を栽培する装置であって、ベッド２０内の培養液２１を汲み上げるポンプ３０ａ、３０ｂと、ポンプ３０ａ、３０ｂで汲み上げた培養液２１を液幕４１ａ、４１ｂ（図３参照）にしてベッド２０内に落下させる液幕発生手段４０とを備えている。
具体的には、ベッド２０の側面の両端部の下部に培養液循環用の孔２０ａ、２０ｂが形成され、配管３１ａが孔２０ａと液幕発生手段４０を接続し、配管３１ａの途中に接続されたポンプ３０ａによりベッド２０内の培養液２１が孔２０ａから液幕発生手段４０に送られる。一方、配管３１ｂが孔２０ｂと液幕発生手段４０を接続し、配管３１ｂの途中に接続されたポンプ３０ｂによりベッド２０内の培養液２１が孔２０ｂから液幕発生手段４０に送られる。なお、ベッド２０の下部に廃液用孔２０ｃが設けられている。この孔２０ｃは通常バルブで閉じられている。
【００１３】
図３に示すように、液幕発生手段４０は培養液供給手段５０と網状体６０ａ、６０ｂとを備えている。網状体６０ａと網状体６０ｂは同じ構造のものである。
図２に示すように、液幕発生手段４０の培養液供給手段５０は、前記汲み上げた培養液２１を流す管５１ａ、５１ｂであり、管５１ａ、５１ｂは互いに平行に横方向に延びている（図１参照）。そして、管５１ａ、５１ｂの一方の端部は配管３１ａに接続され、管５１ａ、５１ｂの他方の端部は配管３１ｂに接続されている。
なお、管５１ａと管５１ｂは同じ構造のものである。具体的には、管５１ａ、５１ｂは枠１１に取り付けられて、図１に示すように、枠１１はベッド２０の上に組みたてられている。管５１ａの水平方向の位置はベッド２０の一方の縁の内側に配置され、管５１ｂの水平方向の位置はベッド２０の他方の縁の内側に配置されている。
【００１４】
なお、図５に示すように、管５１ａの下部に溝５２ａが形成され、網状体６０ａの上端部６１ａが管５１ａの下部に形成された溝５２ａに差し込まれるように配置されている。
具体的には、網状体６０ａが金網である場合には、網状体６０ａの上端部６１ａと溝５２ａを部分的に複数の溶接箇所６１ｘ（図４参照）にて溶接して網状体６０ａの上端部６１ａを溝５２ａに固定することができる。また、網状体６０ａが合成繊維の網である場合には、網状体６０ａの上端部６１ａを通した図示しないワイヤを管５１ａに結束して網状体６０ａの上端部６１ａを溝５２ａに固定することができる。
管５１ｂにおいても同様に網状体６０ｂの上端部６１ｂが管５１ｂの溝（溝５２ａに相当する）に差し込まれて固定されている。
【００１５】
図３に示すように、培養液供給手段５０は前記汲み上げた培養液２１を網状体６０ａ、６０ｂの上端部６１ａ、６１ｂに供給する。なお、具体的には、図４に示すように、網状体６０ａの各網目の大きさは、例えば網目の平行四辺形の一辺の長さｘが１５ｍｍ、前記一辺に隣接する辺の長さｙが１０ｍｍである。
図３に示すように、網状体６０ａの下端部６２ａがベッド２０内に垂れ下がっていて、網状体６０ａの上端部６１ａから落下する培養液２１が網状体６０ａを伝わる際に液幕４１ａとなり、この液幕４１ａが網状体６０ａの下端部６２ａからベッド２０内に落下する。また、網状体６０ｂの下端部６２ｂがベッド２０内に垂れ下がっていて、網状体６０ｂの上端部６１ｂから落下する培養液２１が網状体６０ｂを伝わる際に液幕４１ｂとなり、この液幕４１ｂが網状体６０ｂの下端部６２ｂからベッド２０内に落下する。
そして、液幕４１ａと液幕４１ｂとの間に栽培される植物８０が配置されている。
【００１６】
以上の構成の水耕栽培装置１０は、以下の動作をする。
液幕発生手段４０がベッド２０内に落下させる液幕４１ａ、４１ｂで害虫が遮られるため、害虫がベッド２０内の植物に到達することが少なくなる。さらに、液幕４１ａ、４１ｂによりマイナスイオンが発生し、マイナスイオンの発生により、植物の臭いが少なくなるため、この臭いにより引き寄せられる害虫が少なくなる。
さらに、液幕４１ａ、４１ｂが落下する途中で液幕４１ａ、４１ｂ中に空気が取り込まれるので、培養液２１中の溶存酸素濃度が高くなる。
さらに、ベッド２０内からポンプ３０ａ、３０ｂが汲み上げた培養液２１により液幕４１ａ、４１ｂを形成し、この液幕４１ａ、４１ｂがベッド２０内に落下するので、培養液２１を循環させることができる。
【００１７】
さらに、前記汲み上げた培養液２１を培養液供給手段５０が網状体６０ａ、６０ｂの上端部６１ａ、６１ｂに供給し、供給された培養液２１が網状体６０ａ、６０ｂの上端部６１ａ、６１ｂから網状体６０ａ、６０ｂを伝わって落下する際に液幕４１ａ、４１ｂとなって、網状体６０ａ、６０ｂの下端部６２ａ、６２ｂに伝わり、網状体６０ａ、６０ｂの下端部６２ａ、６２ｂからベッド２０内に落下するので、培養液供給手段５０を容易に構成することができる。
【００１８】
さらに、液幕発生手段４０の培養液供給手段５０は、横方向に延びて、前記汲み上げた培養液２１を流す管５１ａ、５１ｂであり、管５１ａ、５１ｂの下部に形成された溝（５２ａ等）に網状体６０ａ、６０ｂの上端部６１ａ、６１ｂが差し込まれるように配置されているので、管５１ａ、５１ｂ内を流れる培養液２１が溝（５２ａ等）から網状体６０ａ６０ｂの上端部６１ａ、６１ｂに流れ、さらに、液幕４１ａ、４１ｂとなって網状体６０ａ、６０ｂの下端部６２ａ、６２ｂまで流れ落ち、網状体６０ａ、６０ｂの下端部６２ａ、６２ｂからベッド２０内に落下する。
【００１９】
なお、上記実施の形態において、液幕発生手段４０の培養液供給手段５０は図示されたものに限定されず、例えば図６および図７に示すものでもよい。図６は正面図であり、図７は図６のＢ−Ｂ断面の一部分である。
図６および図７において、培養液供給手段の変形例７０は、管５１ａ、５１ｂ（図２参照）の代わりに横長のタンク７１ａ、７２ａを備えている。そして、タンク７１ａの開口部の下側縁７２ａに網状体６０ａの上端部６１ａが固定され、タンク７１ｂの開口部の下側縁７２ｂに網状体６０ｂの上端部６１ｂが固定されている。このため、タンク７１ａ内の培養液２１が開口部の下側縁７２ａを越えて網状体６０ａの上端部６１ａに供給され、タンク７１ｂ内の培養液２１が開口部の下側縁７２ｂを越えて網状体６０ｂの上端部６１ｂに供給される。
【００２０】
また、上記実施の形態において、２つの網状体６０ａ、６０ｂにより２つの液幕４１ａ、４１ｂを発生させているが、これに限定されず、２つの網状体６０ａ、６０ｂのうちどちらか一方のみとし、２つの液幕４１ａ、４１ｂのうちどちらか一方のみとしてもよい。
また、２つの網状体６０ａ、６０ｂを連続させて全体として１つの網状体としてもよい。
そして、２つの液幕４１ａ、４１ｂの間にて植物８０を栽培するようにすると、２つの液幕４１ａ、４１ｂで害虫が遮られるため、害虫が植物８０に到達することが一層少なくなる。さらに、２つの液幕４１ａ、４１ｂにより液幕４１ａ、４１ｂ中に空気が取り込まれる量が多くなり、培養液２１中の溶存酸素濃度が一層高くなる。さらに、２つの液幕４１ａ、４１ｂにより発生するマイナスイオンが一層多くなる。
【図面の簡単な説明】
【００２１】
【図１】本発明の実施の形態に係わる水耕栽培装置の正面図である。
【図２】図１の水耕栽培装置の平面図である。
【図３】図１の水耕栽培装置のＡ−Ａ断面図である。
【図４】図１の網状体を拡大して示す部分図である。
【図５】図３の網状体の取り付け部分を拡大して示す断面図である。
【図６】図１の水耕栽培装置の液幕発生手段の培養液供給手段の変形例の正面を示す部分図である。
【図７】図６のＢ−Ｂ断面の一部分を示す部分図である。
【符号の説明】
【００２２】
１０  水耕栽培装置
２０  ベッド
２１  培養液
３０ａ、３０ｂ  ポンプ
４０  液幕発生手段
４１ａ、４１ｂ  液幕
５０  培養液供給手段
５１ａ、５１ｂ  管
５２ａ  溝
６０ａ、６０ｂ  網状体
６１ａ、６１ｂ  上端部
６２ａ、６２ｂ  下端部
７０  培養液供給手段の変形例
７１ａ、７１ｂ  タンク
７２ａ、７２ｂ  開口部の下側縁
８０  植物
【図１】
2009050199.tif 000003
【図２】
2009050199.tif 000004
【図３】
2009050199.tif 000005
【図４】
2009050199.tif 000006
【図５】
2009050199.tif 000007
【図６】
2009050199.tif 000008
【図７】
2009050199.tif 000009